(57)【要約】      （修正有）【課題】簡易にマイクの感度を向上可能な、特に医療従事者が使用するマイクを装着するマスクを提供する。【解決手段】マスク１は、ユーザの口を覆うための本体部１０と、本体部１０に設けられ、音声入力用のマイク３０を収納するための収納部２０とを備える。収納部２０は、本体部１０の表面または裏面に設けられる。収納部２０は、袋状または筒状である。【選択図】図１
0003200009.tif 000002
【実用新案登録請求の範囲】
【請求項１】
ユーザの口を覆うための本体部と、
当該本体部に設けられ、音声入力用のマイクを収納するための収納部とを備える、マスク。
【請求項２】
前記収納部は、前記本体部の表面または裏面に設けられる、請求項１に記載のマスク。
【請求項３】
前記収納部は、袋状または筒状である、請求項１または２に記載のマスク。
【請求項４】
前記収納部は、前記本体部に固定されている、請求項１〜３のいずれかに記載のマスク。
【請求項５】
前記収納部は、前記マイクの位置を選択可能とするために、複数の収納空間を含む、請求項４に記載のマスク。
【請求項６】
前記収納部は、前記本体部に対して着脱可能である、請求項１〜３のいずれかに記載のマスク。
【請求項７】
前記本体部および前記収納部は、布製である、請求項１〜６のいずれかに記載のマスク。
【請求項８】
前記収納部は、前記本体部の着用時に前記マイクの後端部が斜め上方向を向くように、前記本体部の上下方向に対して傾斜している、請求項１〜７のいずれかに記載のマスク。
【請求項９】
前記本体部は、前記本体部の両側に連結された一対の耳掛け部をさらに備える、請求項１〜８のいずれかに記載のマスク。
【請求項１０】
音声入力用のマイクであって、
当該マイクを保持する収納部と、
前記収納部をマスクに着脱可能に取り付けるための取付部とを備える、マイク。
【考案の詳細な説明】
【技術分野】
【０００１】
この考案は、マスクおよびマイクに関し、特に、医療従事者が使用するマスクおよびマイクに関する。
【背景技術】
【０００２】
実用新案登録第３１９４８０８号公報（特許文献１）には、医師が内視鏡検査中に、音声マイクから取得した音声情報により、自動で電子カルテを作成できる所見入力支援装置が提案されている。
【０００３】
なお、マスクに収納部を設けたものとして、特開２０１４−８７５７８号公報（特許文献２）がある。特許文献２には、マスクに清浄綿シートを収納するために、マスクにポケット部を設けることが開示されている。
【先行技術文献】
【特許文献】
【０００４】
【特許文献１】実用新案登録第３１９４８０８号公報
【特許文献２】特開２０１４−８７５７８号公報
【考案の概要】
【考案が解決しようとする課題】
【０００５】
特許文献１に開示された所見入力支援装置を使用する場合、医療従事者は、装置本体（タブレット）に電気的に接続された小型マイクに音声を入力する。このようなマイクとしては、たとえば医師の耳にフック部を引っ掛けて装着するタイプのものがある。
【０００６】
しかし、装着式の安価な小型マイクを使用すると、周囲の雑音等により音声が適切に認識されないことがある。さらに、マスクを着用したまま装着式の小型マイクを使用すると、マスク内に音声がこもってしまうため、マイクに音声を正確に拾わせることが困難であった。したがって、正確に音声認識されるのに時間がかかるため、スムーズに所見入力ができないという不都合があった。
【０００７】
そこで、本考案は、上記のような課題を解決するためになされたものであって、その目的は、簡易にマイクの感度を向上可能とすることである。
【課題を解決するための手段】
【０００８】
この考案の一態様に係るマスクは、ユーザの口を覆うための本体部と、本体部に設けられ、音声入力用のマイクを収納するための収納部とを備える。
【０００９】
好ましくは、収納部は、本体部の表面または裏面に設けられる。
【００１０】
好ましくは、収納部は、袋状または筒状である。
【００１１】
好ましくは、収納部は、本体部に固定されている。
【００１２】
好ましくは、収納部は、マイクの位置を選択可能とするために、複数の収納空間を含む。
【００１３】
好ましくは、収納部は、本体部に対して着脱可能である。
【００１４】
好ましくは、本体部および収納部は、布製である。
【００１５】
好ましくは、収納部は、本体部の着用時にマイクの後端部が斜め上方向を向くように、本体部の上下方向に対して傾斜している。
【００１６】
好ましくは、本体部は、本体部の両側に連結された一対の耳掛け部をさらに備える。
【００１７】
この考案の一態様に係る音声入力用のマイクは、マイクを保持する収納部と、収納部をマスクに着脱可能に取り付けるための取付部とを備える。
【考案の効果】
【００１８】
本考案によれば、簡易にマイクの感度を向上させることができる。
【図面の簡単な説明】
【００１９】
【図１】本考案の実施の形態１に係るマスクを示す正面図である。
【図２】マスクの収納部にマイクを挿入することを示す正面図である。
【図３】収納部の比較例を示す正面図である。
【図４】本考案の実施の形態１に係るマスクの変形例を示す側面図である。
【図５】本考案の実施の形態２に係るマスクと収納部との関係を示す正面図である。
【図６】本考案の実施の形態２に係るマスクの他の例を示す正面図である。
【図７】本考案の実施の形態３に係るマスクを示す正面図である。
【考案を実施するための形態】
【００２０】
本考案の実施の形態について図面を参照しながら詳細に説明する。なお、図中同一または相当部分には同一符号を付してその説明は繰返さない。
【００２１】
＜実施の形態１＞
図１は、本実施の形態に係るマスク１を示す正面図であり、図２は、マスク１の収納部にマイク３を挿入することを示す正面図である。図１において、矢印Ａ１で示す方向を上下方向、矢印Ａ２で示す方向を左右方向という。
【００２２】
図１および図２を参照して、本実施の形態に係るマスク１は、ユーザの口を覆うための本体部１０と、本体部１０に設けられ、音声入力用のマイク３を収納するための収納部２０とを備える。
【００２３】
マスク１の説明に先立ち、マスク１の収納部２０に収納されるマイク３について説明する。マイク３は、小型式の音声入力用のマイクであり、たとえば、医療現場で使用される所見入力支援装置に使用されるものである。所見入力支援装置とは、マイク３を介して音声を入力させ、その音声をテキストデータに変換して、タブレット（図示せず）に表示させるものである。マイク３は、有線、つまり、ケーブル３１を介してタブレットに接続されている。なお、マイク３は、無線でタブレットと接続されていてもよい。
【００２４】
マスク１の本体部１０は、布製であり、たとえばポリプロピレンなどの不織布の積層体で形成されている。本体部１０は、正面視略矩形形状である。なお、本体部１０は、本体部１０の左右方向両側に連結された一対の耳掛け部１１をさらに備えていてもよい。
【００２５】
収納部２０は、本体部１０と同じ布製であり、たとえばポリプロピレンなどの不織布で形成されている。収納部２０は、袋状であり、本体部１０の表面、つまり、着用時に外気に接する面に設けられる。具体的には、収納部２０は、少なくとも上端部２１が開放され、収納部２０の左右方向両端部および下端部の縫目部２２により、本体部１０の表面に縫い合わされることにより形成されている。なお、収納部２０は、本体部１０の表面に固定されていればよく、たとえば接着剤などで左右方向両端部および下端部を固定してもよい。
【００２６】
収納部２０が本体部１０の表面に設けられることにより、マイク３のケーブル３１は、本体部１０の表面側に位置するため、顔に当たらず邪魔にならない。なお、収納部２０は、本体部１０の裏面、つまりユーザの顔に対向する面に設けられてもよい。この場合、無線タイプのマイクを利用する場合に有効である。この無線タイプのマイクは、音声認識機能だけでなく、情報処理機能を備えていてもよい。
【００２７】
さらに、収納部２０が本体部１０に設けられることにより、マスク１内で発せられた音声を、マイク３により確実に拾うことができるため、周囲の雑音等による影響が小さい。また、マイク３がマスク１の収納部２０に収納されているため、マスク１とマイク３とを併用して使用しても、マイク３が邪魔にならない。
【００２８】
図３は、収納部の比較例を示す正面図である。図３を参照して、収納部２００は、本体部１０の左右方向に対して垂直になるように本体部１０に取り付けられている。これにより、収納部２００に収納されたマイク３の後端部３０は真上方向を向き、マイク３の後端部３０に取り付けられたケーブル３１は、着用時に、ユーザの視界の中心に配置されるため邪魔になる。
【００２９】
したがって、図１に示されるように、収納部２０は、マスク１の着用時に、マイク３の後端部３０が斜め上方向を向くように本体部１０の上下方向に対して傾斜していることが望ましい。このようにマイク３を配置させることで、ユーザがマスク１を着用しても、マイク３のケーブル３１が、邪魔にならない。なお、収納部２０は、マスク１の着用時に、収納部２０に収納されたマイク３が落ちなければ、左右方向に対して平行に配置されていてもよい。
【００３０】
図４は、収納部の変形例を示す側面図である。図４に示すように、収納部２０Ａは、袋状でなく上下方向に貫通する筒状であってもよい。このとき、マスク１Ａの収納部２０Ａは、たとえば伸縮性を有するゴムバンドであることが望ましい。収納部２０Ａは、本体部１０の表面に縫い付けられていてもよい。この場合、マイク３は、収納部２０Ａに締め付けられて保持されるため、マイク３の後端部３０が下方となるように収納されてもよい。なお、図４において、耳掛け部１１の図示は省略している。
【００３１】
＜実施の形態２＞
上記実施の形態では、収納部２０，２０Ａは、マスク１，１Ａの本体部１０に縫い付けて固定されている。これに対し、本実施の形態では、収納部２０Ｂは、本体部１０Ｂに対して着脱可能に設けられている。
【００３２】
図５は、本実施の形態に係るマイク３Ａを示す正面図である。図５を参照して、マイク３Ａは、マイク３Ａを保持する収納部２０Ｂと、収納部２０Ｂをマスク１Ｂに着脱可能に取り付けるための取付部２３とを備える。収納部２０Ｂは、袋状であり、少なくとも上端部２１Ｂが開放されている。取付部２３は、たとえば収納部２０Ｂの裏面に設けられ、強力な両面テープであることが望ましい。収納部２０Ｂが本体部１０Ｂに固定されるまでは、両面テープ上には、剥離紙（図示せず）が取り付けられている。
【００３３】
収納部２０Ｂを本体部１０Ｂに貼り付けるためには、取付部２３である両面テープの剥離紙を剥がして本体部１０Ｂに貼り付ける。このとき、本体部１０Ｂの一点鎖線で示す領域内の所望の位置に貼り付けることが可能である。このような構成とすることにより、ユーザ所望の位置にマイク３Ａを配置することが可能である。なお、取付部２３は、両面テープであるとしたが、面ファスナであってもよい。この場合、マスク１Ｂの本体部１０Ｂにも他方の面ファスナが設けられていればよい。
【００３４】
マイク３Ａを本体部１０Ｂに貼り付ける際には、マイク３Ａをあらかじめ収納部２０Ｂに挿入した後に本体部１０Ｂに貼り付けてもよいし、収納部２０Ｂだけを本体部１０Ｂに貼り付けた後にマイク３Ａを収納部２０Ｂに挿入してもよい。
【００３５】
本実施の形態のように、収納部２０Ｂをマスク１Ｂに着脱可能に取り付ける場合は、マスク１Ｂが、使い捨てマスクである場合にも有効である。
【００３６】
図６は、マイク３Ａを保持した収納部２０Ｂを、使い捨てマスクに貼り付けた状態を示す正面図である。使い捨てマスク１Ｂの本体部１０Ｂは、上下方向に蛇腹状に折り返された状態で、左右方向両端部が熱融着固定され、着用時に上下方向の伸縮性が担保されるようなものであってもよい。このような使い捨てマスク１Ｂを使用する場合は、マスク１Ｂを装着した上で、本体部１０Ｂに収納部２０Ｂを貼り付けることが望ましい。これにより、マスク１Ｂの本体部１０Ｂの上下方向の伸縮性を担保したまま、本体部１０Ｂにマイク３Ａを保持した収納部２０Ｂを取り付けることができる。
【００３７】
＜実施の形態３＞
上記各実施の形態では、マイクを収納する収納部は１つの収納空間を備える。これに対し、本実施の形態では、収納部は複数の収納空間を備える。
【００３８】
図７は、本実施の形態に係るマスク１Ｃを示す正面図である。図７を参照して、収納部２０Ｃは、マスク１Ｃの本体部１０の表面に縫い付けられて固定されている。収納部２０Ｃは、マイク３の位置を選択可能とするために複数、たとえば３箇所の収納空間２５を含む。このようにすることで、ユーザは、マイク３が邪魔にならない収納空間２５を選択して、マイク３を挿入することができる。なお、収納部２０Ｃは、着脱可能に、本体部１０の表面に設けられていてもよい。
【００３９】
なお、上記各実施の形態において、マスクは、本体部の両側に連結された一対の耳掛け部を備えるとしたが、これに限定されない。マスクは、本体部に設けられた両面テープによりユーザの顔に貼り付けられるものであってもよいし、ユーザの耳ではなく、頭に結びつけるものであってもよい。
【００４０】
また、上記各実施の形態では、マスクにマイク用の収納部が設けられるとしたが、マイクにマスク取り付け用の収納部が設けられてもよい。つまり、収納部をマイクとセットにして提供してもよい。具体的には、図５を参照して、マイク３Ａは、マイク３Ａを保持する収納部２０Ｂと、収納部２０Ｂをマスク１Ｂに着脱可能に取り付けるための取付部２３とを備えるとしてもよい。
【００４１】
また、本体部と収納部とは、いずれも布製であるとしたが、通気性を有する材質でできていればよく、少なくともいずれか一方は、たとえば紙製でもよい。
【００４２】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００４３】
１  マスク、３  マイク、１０  本体部、１１  耳掛け部、２０  収納部、２１  上端部、２２  縫目、２３  取付部、２５  収納部、３０  後端部、３１  ケーブル。
【図１】
0003200009.tif 000003
【図２】
0003200009.tif 000004
【図３】
0003200009.tif 000005
【図４】
0003200009.tif 000006
【図５】
0003200009.tif 000007
【図６】
0003200009.tif 000008
【図７】
0003200009.tif 000009
【手続補正書】
【提出日】平成27年7月13日(2015.7.13)
【手続補正１】
【補正対象書類名】実用新案登録請求の範囲
【補正対象項目名】全文
【補正方法】変更
【補正の内容】
【実用新案登録請求の範囲】
【請求項１】
ユーザの口を覆うための本体部と、
当該本体部に設けられ、音声入力用のマイクを収納するための収納部とを備える、マスク。
【請求項２】
前記収納部は、前記本体部の表面または裏面に設けられる、請求項１に記載のマスク。
【請求項３】
前記収納部は、袋状または筒状である、請求項１または２に記載のマスク。
【請求項４】
前記収納部は、前記本体部に固定されている、請求項１〜３のいずれかに記載のマスク。
【請求項５】
前記収納部は、前記マイクの位置を選択可能とするために、複数の収納空間を含む、請求項４に記載のマスク。
【請求項６】
前記収納部は、前記本体部に対して着脱可能である、請求項１〜３のいずれかに記載のマスク。
【請求項７】
前記本体部および前記収納部は、布製である、請求項１〜６のいずれかに記載のマスク。
【請求項８】
前記収納部は、前記本体部の着用時に前記マイクの後端部が斜め上方向を向くように、前記本体部の上下方向に対して傾斜している、請求項１〜７のいずれかに記載のマスク。
【請求項９】
前記本体部は、前記本体部の両側に連結された一対の耳掛け部をさらに備える、請求項１〜８のいずれかに記載のマスク。
【請求項１０】
音声入力用のマイク本体と、
当該マイク本体を保持する収納部と、
前記収納部をマスクに着脱可能に取り付けるための取付部とを備える、マイク。